(57)【要約】　　　（修正有）【課題】この洗浄装置は、非常に小型化され、且つ研究室、実験室、工場等のあらゆる場所にキャスターにより移動自在とし、且つダイオキシンが発生しないポリプロピレンを主とした構成材料を使用して環境を整えるためのものである。【解決手段】洗浄本体の上部に排風機と吐出口を設けた洗浄装置があって、該洗浄本体を硬質合成樹脂のポリプロピレンのオレフィン系樹脂を以って構成する。該洗浄本体の内部に隔壁を設けて表面側に吸込口と内部の上方よりプレフィルター、活性炭フィルターを設ける。また、隔壁の裏面側には、上部よりビニロックフィルター、シャワー及び充填材入りビニロックフィルターを装設してある。更に、該洗浄本体の下部の内部に循環ポンプと循環水槽室を装設したことを特徴とする。【選択図】図２
0003100467.tif 000002
【実用新案登録請求の範囲】
【請求項１】
　装置本体は、移動自在の洗浄本体と、該洗浄本体の上部に排風機（１３）と吐出口（１４）とを装設した集塵、脱臭及び洗浄装置において、前記洗浄本体（２）は、その構成材料を硬質合成樹脂のポリプロピレンのオレフィン系樹脂を以って形成され、該洗浄本体（２）には、内部の上部のみに隔壁（５）を装設し、該隔壁（５）の表面側には、吸込口（３）を設けると共に、内部の上方よりプレフィルター（６）及び活性炭フィルター（７）を段設し、該隔壁（５）の裏面側には、上部よりビニロックフィルター（１０）、シャワー（９）及び充填材入りビニロックフィルター（１１）を装設し、該充填材入りビニロックフィルター（１１）の下方には、循環水槽室（１２）を装設し、且つ該洗浄本体（２）には、下端内部に該シャワー（９）と連通する循環ポンプ（８）を収納すると共に、下端に軽く自由に移動できるキャスター（２０）を装着したことを特徴とする集塵、脱臭及び洗浄装置。
【考案の詳細な説明】
【技術分野】
【０００１】　本考案は、移動が自由に構成され、研究室、実験室、工場及び工事現場、地下作業所等のあらゆる場所に移動設置して埃、悪臭、有毒ガス等を綺麗に取り除くものである。また、ダイオキシンが発生しないポリプロピレンを使用して小型に構成した集塵、脱臭及び洗浄装置に関するものである。
【背景技術】
【０００２】　従来この種の洗浄装置は、埃、悪臭、ガス等を確実に誘導したり、小型で移動自在の安全性の高い洗浄装置は散見されず、また、洗浄本体を塩化ビニール等のダイオキシンが発生するものや、リサイクル化が不可能なために、環境等を著しく悪化する構成材料が主体で構成されている現状である。従って、近年の環境問題等の高まりから、リサイクル化や軽量で移動が容易な他の硬質合成樹脂に取り替えることが検討されている現状である。
【考案の開示】
【考案が解決しよとうする課題】
【０００３】　本考案は、上記従来の欠点に鑑みてなされたものであり、その主たる目的とする所は、洗浄本体を耐薬品、耐蝕性、耐熱性に優れ、表面硬度も著しく高く、且つ軽量で光沢の美しい、ポリプロピレンの硬質合成樹脂を使用した構成によって環境性にも優れ、小型化して移動自在にした集塵、脱臭及び洗浄装置を提供しようとするものである。
【課題を解決するための手段】
【０００４】　本考案の集塵、脱臭及び洗浄装置は、上部に強化プラスチック等よりなる排風機と吐出口とを有する装置本体の下部の洗浄本体は、その構成材料として硬質合成樹脂のポリプロピレンのオレフィン系樹脂を以って構成してある。該洗浄本体は、内部に隔壁を設け該隔壁の表面側には、排気用フードが装着できる吸込口を設けると共に、内部は上方よりプレフィルター、活性炭フィルター並設してある。且つ該隔壁の裏面側には、上部よりビニロックフィルター、シャワー及び充填材入りビニロックフィルターを装設してある。更に、該充填材入りビニロックフィルターの下方には、循環水槽室を形成すると共に、シャワーと連通する循環ポンプを収納してある。また、該洗浄本体の下端に軽快に移動自在にできるキャスターを装着したことを特徴としている。
【考案の効果】
【０００５】　以上説明したように構成した本考案によれば、従来の構成材料の塩化ビニール製のものと比較して見ると、比重が最も小さく著しく軽量化される効果と、耐薬品性、耐蝕性、耐熱性に優れた効果がある。また、リサイクルが可能となると共に、ダイオキシンが発生しないため大変に環境性に優れている効果がある。そして、洗浄本体の上部のみに隔壁を設けて前後に隔室を設け、表面側に吸込口を設けて排気用フードの取付を容易とした効果と、表面側の内部には、上方よりプレフィルター及び活性炭フィルターを段設して、安全性と集塵、脱臭等の最初の洗浄化の役目を果たす効果がある。
　更に、洗浄本体の隔壁の裏面側には、上部よりビニロックフィルターとシャワーを介して充填材入りビニロックフィルターを装設したので、再度の集塵、脱臭及び洗浄を確実に実施して外部に放出できる効果がある。また、洗浄本体の下端に取付けたキャスターによっては、従来の固定型装置と異なって、軽快に各場所に自由に移動できると云う便利な効果がある。
【考案を実施するための最良の形態】
【０００６】　装置本体（１）は移動自在の洗浄本体（２）の表面に排気用フード等が取付可能となる吸込口（３）を位置し、該吸込口（３）より排気ガスを侵入させ、最初のプレフィルター（６）、活性炭フィルター（７）で集塵されて下降し、充填材入りビニロックフィルター（１１）に矢印の如く侵入上昇し、上部のシャワー（９）によって散水して洗浄され、更に上昇して最後のビニロックフィルター（１０）によって完全に脱臭洗浄した後に、上部の排風機（１４）より吐出口（１５）を経て外部に放出するものである。
【実施例】
【０００７】　次に、本考案の実施例を図面について説明すると、図１、図２において、装置本体（１）には、下部の移動自在な洗浄本体（２）と、上部の強化プラスチック等よりなる吐出口（１５）を設けた排風機（１４）と、カバー内に収納されているモーター（１３）とより構成されている。
　前記洗浄本体（２）は、その構成材料としては硬質合成樹脂のポリプロピレンのオレフィン系樹脂を使用し、全体を小型化した略方形状に成形してある。
　該洗浄本体（２）には、内部の上部のみを前後２室を形成する隔壁（５）を縦方向に形成してある。また、該洗浄本体（２）の表面に排気用フード等が連結できる吸込口（３）を装設してある。該隔壁（５）には、表面側に上部よりプレフィルター（６）とその下段に活性炭フィルター（７）を段設してある。【０００８】　更に、該隔壁（５）の裏面側には、内部の上部よりビニロックフィルター（１０）、その下部にシャワー（９）を配設し、該シャワー（９）の下方に所定の厚さを有する充填材入りビニロックフィルター（１１）を装設してある。また、該充填材入りビニロックフィルター（１１）の下部には、シャワー（９）より散水する循環水槽室（１２）を形成してある。【０００９】　次に、該洗浄本体（２）には、下端にシャワー（９）用の循環ポンプ（８）を設置するポンプ室を設けてある。また、該洗浄本体（２）には、正面に該循環ポンプ（８）を点検する開閉用の点検扉（１７）を設けると共に、上方の該プレフィルター（６）と活性炭フィルター（７）との前方に開閉用の点検扉（１８）を装設してある。符号（１６）は、図１に示す該洗浄本体（２）の側面に設置した排風機用スイッチを示し、符号（１９）は、該洗浄本体（２）の背面側に位置する透明の合成樹脂よりなる内部を透視できる点検窓を示したものである。（２０）はキャスター、（２１）は排水口で、（２２）はプラグを示したものである。
【図面の簡単な説明】
【００１０】
【図１】　本考案の洗浄装置の一部欠除した正面図である。
【図２】　同じく本考案の洗浄本体の内部を開示した一部欠除した縦断側面図である。
【図３】　本考案の一部欠除した背面図である。
【図４】　同じく本考案の一部欠除した横断した上面図である。
【符号の説明】
【００１１】１　　　　　装置本体
２　　　　　洗浄本体
３　　　　　吸込口
５　　　　　隔壁
６　　　　　プレフィルター
７　　　　　活性炭フィルター
８　　　　　循環ポンプ
９　　　　　シャワー
１０　　　　ビニロックフィルター
１１　　　　充填材入りビニロックフィルター
１２　　　　循環水槽室
１３　　　　モーター
１４　　　　排風機
１５　　　　吐出口
１６　　　　排風機用スイッチ
１７、１８　点検扉
１９　　　　点検窓
２０　　　　キャスター
２１　　　　排水口
【図１】
0003100467.tif 000003
【図２】
0003100467.tif 000004
【図３】
0003100467.tif 000005
【図４】
0003100467.tif 000006